(57)【要約】      （修正有）【課題】ユーザモーションを撮影したモーションイメージと特定値の運動量とが各々マッピングされて保存されたサンプルモーションイメージのモーション類似度を算出し、算出されたモーション類似度を用いて、ユーザモーションの運動量を算出する運動量測定方法ディスプレイ装置を提供する。【解決手段】本ディスプレイ装置の運動量測定方法は、ユーザのモーションを撮影してモーションイメージを獲得し、獲得されたモーションイメージと特定値の運動量とが各々マッピングされて保存されたサンプルモーションイメージのモーション類似度を算出し、サンプルモーションイメージとのモーション類似度を用いて、ユーザモーションの運動量を算出する。それにより、ユーザの身体に対する更なる装置を付着しなくてもよいため、ユーザの手間が軽減し、ユーザの動き全体を用いて運動量を測定することができるようになる。【選択図】図２
2013138870.tif 000002
【特許請求の範囲】
【請求項１】
運動量測定方法において、
ユーザのモーションを撮影してモーションイメージを獲得するステップと、
前記獲得されたモーションイメージと特定値の運動量とが各々マッピングされて保存されたサンプルモーションイメージのモーション類似度を算出するステップと、
前記サンプルモーションイメージとのモーション類似度を用いて、前記ユーザモーションの運動量を算出するステップと
を含む運動量測定方法。
【請求項２】
ユーザのサンプルモーションを撮影してサンプルモーションイメージを獲得するステップと、
前記サンプルモーションイメージに含まれたユーザの身体の複数の地点に対する座標を算出し、前記ユーザのサンプルモーションをモデリングするステップと、
前記モデリングされたサンプルモーションの運動量を獲得するステップと、
前記サンプルモーションイメージと前記獲得された運動量とをマッピングして保存するステップと
を更に含むことを特徴とする請求項１に記載の運動量測定方法。
【請求項３】
前記ユーザのサンプルモーションがＭＥＴｓ（Ｍｅｔａｂｏｌｉｃ  Ｅｑｕｉｖａｌｅｎｔ  ｏｆ  Ｔａｓｋ）に定義されたモーションである場合、
前記サンプルモーションの運動量を獲得するステップは、
前記ＭＥＴｓから前記ユーザのサンプルモーションに対応する運動量値を前記モデリングされたユーザのサンプルモーションの運動量値として獲得することを特徴とする請求項２に記載の運動量測定方法。
【請求項４】
前記サンプルモーションの運動量を獲得するステップは、
前記ユーザの脈拍を測定して前記サンプルモーションの運動量を獲得し、
前記保存するステップは、
前記ユーザのサンプルモーション、前記サンプルモーションの運動量および前記サンプルモーションが実行されたコンテンツに対する情報をマッピングして保存することを特徴とする請求項２に記載の運動量測定方法。
【請求項５】
前記モーション類似度を算出するステップは、
前記獲得されたモーションイメージを複数のブロックに区分するステップと、
前記獲得されたモーションイメージの複数のブロックに対する動きと、予め保存されたサンプルモーションイメージの複数のブロックに対する動きとを比較し、前記モーション類似度を算出するステップと
を含むことを特徴とする請求項１に記載の運動量測定方法。
【請求項６】
前記複数のブロックは、
左足ブロックと、右足ブロックと、左手ブロックと、右手ブロックおよび胴体ブロックで構成されることを特徴とする請求項５に記載の運動量測定方法。
【請求項７】
前記運動量を算出するステップは、
前記サンプルモーションイメージとのモーション類似度を用いて、前記ユーザモーションの第１運動量を算出するステップと、
前記第１運動量と、運動時間と、ユーザの体重と、ユーザの性別情報および年齢情報のうち、少なくとも何れか一つを用いて、最終運動量を算出するステップと
を含むことを特徴とする請求項１に記載の運動量測定方法。
【請求項８】
前記最終運動量を算出するステップは、
【数６】
2013138870.tif 000010
のような数式によって算出されることを特徴とする請求項７に記載の運動量測定方法。（ＭＥＴｓ：前記第１運動量値（ＭＥＴｓ）、Ｔ：運動時間（ｍｉｎ）、Ｗ：体重（ｋｇ）、Ａ：年齢情報係数、Ｗｍ：性別情報係数）
【請求項９】
前記モーションイメージを獲得するステップは、
３Ｄカメラを用いてユーザのモーションイメージを獲得することを特徴とする請求項１に記載の運動量測定方法。
【請求項１０】
ディスプレイ装置において、
ユーザのモーションを撮影してモーションイメージを獲得するイメージ獲得部と、
前記獲得されたモーションイメージと特定値の運動量とが各々マッピングされて保存されたサンプルモーションイメージのモーション類似度を算出するモーション類似度算出部と、
前記サンプルモーションイメージとのモーション類似度を用いて、前記ユーザモーションの運動量を算出する運動量算出部と
を含むディスプレイ装置。
【請求項１１】
ユーザのサンプルモーションを撮影してサンプルモーションイメージを獲得するイメージ獲得部と、
前記サンプルモーションイメージに含まれたユーザの身体の複数の地点に対する座標を算出し、前記ユーザのサンプルモーションをモデリングするモデリング部と、
前記モデリングされたサンプルモーションの運動量を獲得する運動量獲得部と、
前記サンプルモーションイメージと前記獲得された運動量とをマッピングして保存する保存部と
を更に含むことを特徴とする請求項１０に記載のディスプレイ装置。
【請求項１２】
前記ユーザのサンプルモーションがＭＥＴｓ（Ｍｅｔａｂｏｌｉｃ  Ｅｑｕｉｖａｌｅｎｔ  ｏｆ  Ｔａｓｋ）に定義されたモーションである場合、
前記運動量獲得部は、
前記ＭＥＴｓから前記ユーザのサンプルモーションに対応する運動量値を前記モデリングされたユーザのサンプルモーションの運動量値として獲得することを特徴とする請求項１１に記載のディスプレイ装置。
【請求項１３】
前記運動量獲得部は、
前記ユーザの脈拍を測定して前記サンプルモーションの運動量を獲得し、
前記保存部は、
前記ユーザのサンプルモーション、前記サンプルモーションの運動量および前記サンプルモーションが実行されたコンテンツに対する情報をマッピングして保存することを特徴とする請求項１１に記載のディスプレイ装置。
【請求項１４】
前記モーション類似度算出部は、
前記獲得されたモーションイメージを複数のブロックに区分し、前記獲得されたモーションイメージの複数のブロックに対する動きと、予め保存されたサンプルモーションイメージの複数のブロックに対する動きとを比較し、前記モーション類似度を算出することを特徴とする請求項１０に記載のディスプレイ装置。
【請求項１５】
前記複数のブロックは、
左足ブロックと、右足ブロックと、左手ブロックと、右手ブロックおよび胴体ブロックで構成されることを特徴とする請求項１４に記載のディスプレイ装置。
【発明の詳細な説明】
【技術分野】
【０００１】
本発明は、運動量測定方法およびそれを適用したディスプレイ装置に関し、より詳細には、ユーザの動きを撮影してユーザの運動量を測定する運動量測定方法およびそれを適用したディスプレイ装置に関する。
【背景技術】
【０００２】
近代社会では、暮らしの質が向上し、高齢者の人口が増加するにつれ、健康への関心が高まっている。特に、最近は、テレビのようなディスプレイ装置を用いてユーザの健康および運動を管理してくれるコンテンツが増えつつある。
【０００３】
健康関連のコンテンツのうち、ユーザの運動量を測定してユーザの健康管理サービスを提供するコンテンツがある。しかし、従来のコンテンツはユーザの特定部位にセンサを付着してユーザの運動量を測定する方法を利用してきた。
【０００４】
ユーザの特定部位にセンサ（例えば、加速度センサ等）を付着してユーザの運動量を測定する場合、ユーザ身体の動き全体を把握することができなくなるため、正確なユーザの運動量を測定することが困難であるという短所が存在する。なお、ユーザの特定部位にセンサを付着する場合、ユーザの動きに制限がかかるという不都合があった。
【０００５】
従って、ユーザの身体にセンサを付着せずに、ユーザの動き全体を用いてユーザの運動量を測定するための方策への模索が必要となった。
【先行技術文献】
【特許文献】
【０００６】
【特許文献１】韓国特許登録第１０−０７９５０５５号
【特許文献２】米国特開第２００８−００６２１２５号公報
【発明の概要】
【発明が解決しようとする課題】
【０００７】
そこで、本発明は、上記問題に鑑みてなされたものであり、本発明の目的とするところは、ユーザモーションを撮影したモーションイメージと特定値の運動量とが各々マッピングされて保存されたサンプルモーションイメージのモーション類似度を算出し、算出されたモーション類似度を用いて、ユーザモーションの運動量を算出する運動量測定方法およびそれを適用したディスプレイ装置を提供することにある。
【課題を解決するための手段】
【０００８】
前記目的を達成するための本発明の一実施形態に係る運動量測定方法は、ユーザのモーションを撮影してモーションイメージを獲得するステップと、前記獲得されたモーションイメージと特定値の運動量とが各々マッピングされて保存されたサンプルモーションイメージのモーション類似度を算出するステップと、前記サンプルモーションイメージとのモーション類似度を用いて、前記ユーザモーションの運動量を算出するステップとを含む。
【０００９】
そして、ユーザのサンプルモーションを撮影してサンプルモーションイメージを獲得するステップと、前記サンプルモーションイメージに含まれたユーザ身体の複数の地点に対する座標を算出し、前記ユーザのサンプルモーションをモデリングするステップと、前記モデリングされたサンプルモーションの運動量を獲得するステップと、前記サンプルモーションイメージと前記獲得された運動量とをマッピングして保存するステップとを更に含んでよい。
【００１０】
なお、前記ユーザのサンプルモーションがＭＥＴｓ（Ｍｅｔａｂｏｌｉｃ  Ｅｑｕｉｖａｌｅｎｔ  ｏｆ  Ｔａｓｋ）に定義されたモーションである場合、前記サンプルモーションの運動量を獲得するステップは、前記ＭＥＴｓから前記ユーザのサンプルモーションに対応する運動量値を前記モデリングされたユーザのサンプルモーションの運動量値として獲得してよい。
【００１１】
そして、前記サンプルモーションの運動量を獲得するステップは、前記ユーザの脈拍を測定して前記サンプルモーションの運動量を獲得し、前記保存するステップは、前記ユーザのサンプルモーション、前記サンプルモーションの運動量および前記サンプルモーションが実行されたコンテンツに対する情報をマッピングして保存してよい。
【００１２】
なお、前記モーション類似度を算出するステップは、前記獲得されたモーションイメージを複数のブロックに区分するステップと、前記獲得されたモーションイメージの複数のブロックに対する動きと、予め保存されたサンプルモーションイメージの複数のブロックに対する動きとを比較し、前記モーション類似度を算出するステップとを含んでよい。
【００１３】
そして、前記複数のブロックは、左足ブロックと、右足ブロックと、左手ブロックと、右手ブロックおよび胴体ブロックで構成されてよい。
【００１４】
なお、前記運動量を算出するステップは、前記サンプルモーションイメージとのモーション類似度を用いて、前記ユーザモーションの第１運動量を算出するステップと、前記第１運動量と、運動時間と、ユーザの体重と、ユーザの性別情報および年齢情報のうち、少なくとも何れか一つを用いて、最終運動量を算出するステップとを含む。
【００１５】
そして、前記最終運動量を算出するステップは、
【００１６】
【数１】
2013138870.tif 000003
のような数式によって算出されてよい。（ＭＥＴｓ：ＭＥＴｓ情報によって算出された第１運動量、Ｔ：運動時間（ｍｉｎ）、Ｗ：体重（ｋｇ）、Ａ：年齢情報係数、Ｗｍ：性別情報係数）
なお、前記モーションイメージを獲得するステップは、３Ｄカメラを用いてユーザのモーションイメージを獲得してよい。
【００１７】
一方、前記目的を達成するための本発明の一実施形態に係るディスプレイ装置は、ユーザのモーションを撮影してモーションイメージを獲得するイメージ獲得部と、前記獲得されたモーションイメージと特定値の運動量とが各々マッピングされて保存されたサンプルモーションイメージのモーション類似度を算出するモーション類似度算出部と、前記サンプルモーションイメージとのモーション類似度を用いて、前記ユーザモーションの運動量を算出する運動量算出部とを含む。
【００１８】
そして、ユーザのサンプルモーションを撮影してサンプルモーションイメージを獲得するイメージ獲得部と、前記サンプルモーションイメージに含まれたユーザ身体の複数の地点に対する座標を算出し、前記ユーザのサンプルモーションをモデリングするモデリング部と、前記モデリングされたサンプルモーションの運動量を獲得する運動量獲得部と、前記サンプルモーションイメージと前記獲得された運動量とをマッピングして保存する保存部とを更に含んでよい。
【００１９】
なお、前記ユーザのサンプルモーションがＭＥＴｓ（Ｍｅｔａｂｏｌｉｃ  Ｅｑｕｉｖａｌｅｎｔ  ｏｆ  Ｔａｓｋ）に定義されたモーションである場合、前記運動量獲得部は、前記ＭＥＴｓから前記ユーザのサンプルモーションに対応する運動量値を前記モデリングされたユーザのサンプルモーションの運動量値として獲得してよい。
【００２０】
そして、前記運動量獲得部は、前記ユーザの脈拍を測定して前記サンプルモーションの運動量を獲得し、前記保存部は、前記ユーザのサンプルモーション、前記サンプルモーションの運動量および前記サンプルモーションが実行されたコンテンツに対する情報をマッピングして保存してよい。
【００２１】
なお、前記モーション類似度算出部は、前記獲得されたモーションイメージを複数のブロックに区分し、前記獲得されたモーションイメージの複数のブロックに対する動きと、予め保存されたサンプルモーションイメージの複数のブロックに対する動きとを比較し、前記モーション類似度を算出してよい。
【００２２】
そして、前記複数のブロックは、左足ブロックと、右足ブロックと、左手ブロックと、右手ブロックおよび胴体ブロックで構成されてよい。
【００２３】
なお、前記運動量算出部は、前記サンプルモーションイメージとのモーション類似度を用いて、前記ユーザモーションの第１運動量を算出し、前記第１運動量と、運動時間と、ユーザの体重と、ユーザの性別情報および年齢情報のうち、少なくとも何れか一つを用いて、最終運動量を算出してよい。
【００２４】
そして、前記運動量算出部は、
【００２５】
【数２】
2013138870.tif 000004
のような数式によって、前記最終運動量を算出してよい。（ＭＥＴｓ：ＭＥＴｓ情報によって算出された第１運動量、Ｔ：運動時間（ｍｉｎ）、Ｗ：体重（ｋｇ）、Ａ：年齢情報係数、Ｗｍ：性別情報係数）
そして、前記モーションイメージ獲得部は、３Ｄカメラを用いてユーザのモーションイメージを獲得してよい。
【発明の効果】
【００２６】
以上説明したように、本発明によれば、ユーザモーションを撮影したモーションイメージと特定値の運動量とが各々マッピングされて保存されたサンプルモーションイメージのモーション類似度を算出し、算出されたモーション類似度を用いて、ユーザモーションの運動量を算出することができる。
【図面の簡単な説明】
【００２７】
【図１】本発明の一実施形態に係る運動量を測定するためのディスプレイ装置を示す図である。
【図２】本発明の一実施形態に係る運動量を測定するためのディスプレイ装置の構成を示すブロック図である。
【図３】本発明の一実施形態に係る運動量を測定する方法を説明するためのフローチャートである。
【図４】本発明の一実施形態に係るサンプルモーションイメージと運動量とをマッピングして保存する方法を説明するためのフローチャートである。
【図５】本発明の一実施形態に係るサンプルモーションイメージと運動量とをマッピングして保存する方法を説明するためのフローチャートである。
【図６】本発明の一実施形態に係る健康管理のためのディスプレイ装置およびサーバを含む健康管理システム。
【図７】本発明の別の実施形態に係る健康管理のためのディスプレイ装置の構成を示すブロック図である。
【図８Ａ】本発明の多様な実施形態に係る健康管理のためのディスプレイ装置において、ユーザの健康を管理するために提供されるＵＩを示す図である。
【図８Ｂ】本発明の多様な実施形態に係る健康管理のためのディスプレイ装置において、ユーザの健康を管理するために提供されるＵＩを示す図である。
【図８Ｃ】本発明の多様な実施形態に係る健康管理のためのディスプレイ装置において、ユーザの健康を管理するために提供されるＵＩを示す図である。
【図９】本発明の多様な実施形態に係る健康管理のためのディスプレイ装置において、ユーザの健康を管理するために提供されるＵＩを示す図である。
【図１０Ａ】本発明の多様な実施形態に係る健康管理のためのディスプレイ装置において、ユーザの健康を管理するために提供されるＵＩを示す図である。
【図１０Ｂ】本発明の多様な実施形態に係る健康管理のためのディスプレイ装置において、ユーザの健康を管理するために提供されるＵＩを示す図である。
【図１１】本発明の多様な実施形態に係る健康管理のためのディスプレイ装置において、ユーザの健康を管理するために提供されるＵＩを示す図である。
【図１２】本発明の多様な実施形態に係る健康管理のためのディスプレイ装置において、ユーザの健康を管理するために提供されるＵＩを示す図である。
【図１３】本発明の一実施形態に係る健康管理システムに含まれたサーバの構成を示すブロック図である。
【図１４】本発明の多様な実施形態に係る健康管理方法を説明するためのフローチャートである。
【図１５】本発明の多様な実施形態に係る健康管理方法を説明するためのフローチャートである。
【図１６】本発明の多様な実施形態に係る健康管理方法を説明するためのフローチャートである。
【発明を実施するための形態】
【００２８】
以下に添付図面を参照しながら、本発明の好適な実施形態について詳細に説明する。
【００２９】
図１は、本発明の一実施形態に係る運動量を測定するためのディスプレイ装置１００を示す図である。
【００３０】
本発明の一実施形態に係るディスプレイ装置１００は、サンプルモーションイメージと特定値の運動量とをマッピングして予め保存する。このとき、サンプルモーションイメージと運度量をマッピングして保存する方法は、ＭＥＴｓ（Ｍｅｔａｂｏｌｉｃ  Ｅｑｕｉｖａｌｅｎｔ  ｏｆ  Ｔａｓｋ）に定義されたモーションの運動量情報を用いてサンプルモーションと運動量とをマッピングして保存することができる。または、ディスプレイ装置１００は、サンプルモーションと運動量とをマッピングして保存するためのコンテンツを実行させ、特定サンプルモーションに対する運動量値を算出し、サンプルモーションと運動量とをマッピングして保存することができる。
【００３１】
そして、図１に示すように、ディスプレイ装置１００は３Ｄカメラを用いてユーザのモーション全体を撮影し、モーションイメージを獲得する。
【００３２】
そして、ディスプレイ装置１００は、獲得されたモーションイメージと予め保存されたサンプルモーションイメージとのモーション類似度を算出する。このとき、ディスプレイ装置１００は、獲得されたモーションイメージの座標値とサンプルモーションイメージの座標値とを比較して、モーション類似度を算出してよい。
【００３３】
そして、ディスプレイ装置１００は、算出されたモーション類似度を用いて、ユーザのモーションに対する運動量情報を算出する。このとき、ディスプレイ装置１００は、モーション類似度を用いて算出された運動量情報だけでなく、運動時間と、ユーザの体重、ユーザの性別情報および年齢情報のような多様な要素を用いて、最終運動量情報を算出してよい。
【００３４】
上述のようなディスプレイ装置１００は、ユーザの身体に対する更なる装置を付着しなくてもよいため、ユーザの手間が軽減し、ユーザの動き全体を用いて運動量を測定することができるようになる。
【００３５】
以下では、図２を参照して、運動量を測定するためのディスプレイ装置１００に対して詳細に説明する。
【００３６】
図２は、本発明の一実施形態に係るディスプレイ装置１００の構成を示すブロック図である。図２に示すように、本発明の一実施形態に係るディスプレイ措置１００は、イメージ獲得部１１０と、モデリング部１２１と、運動量獲得部１２２および保存部１２３を含むサンプルモーション保存部１２０と、モーション類似度算出部１３０および運動量算出部１４０を含む。
【００３７】
イメージ獲得部１１０は、ユーザのモーションを撮影してモーションイメージを獲得する。このとき、イメージ獲得部１１０は、３Ｄカメラを用いてユーザのモーションイメージを獲得することができる。ここで、イメージ獲得部１１０は、平均１５ｆｐｓでモーションイメージを獲得することができる。
【００３８】
なお、イメージ獲得部１１０は、運動量を測定するためのユーザのモーションイメージだけでなく、サンプルモーションに対するサンプルモーションイメージも獲得することができる。
【００３９】
サンプルモーション保存部１２０は、特定モーションに対する運動量を測定する前に、サンプルモーションイメージとサンプルモーションの運動量とをマッピングして予め保存する。具体的に、サンプルモーション保存部１２０は、モデリング部１２１と、運動量獲得部１２２および保存部１２３を含む。
【００４０】
モデリング部１２１は、サンプルモーションイメージに含まれたユーザ身体の複数の地点に対する座標を算出し、ユーザのサンプルモーションをモデリングする。具体的に、モデリング部１２１は、ユーザ身体の複数の地点（例えば、１４地点）の（ｘ、ｙ、ｚ）座標に対する予め設定された時間の間（例えば、１秒間）の変化を測定して、ユーザのサンプルモーションをモデリングする。
【００４１】
運動量獲得部１２２は、モデリングされたサンプルモーションの運動量を獲得する。このとき、運動量獲得部１２２は、ＭＥＴｓを用いてサンプルモーションに対する運動量を獲得することができる。なお、運動量獲得部１２２は、ユーザの脈拍情報を用いてサンプルモーションに対する運動量を獲得することができる。
【００４２】
そして、保存部１２３は、サンプルモーションイメージと獲得された運動量とをマッピングして保存する。このとき、保存部１２３は、サンプルモーションイメージと運動量だけでなく、サンプルモーションが実行されているコンテンツ情報もマッピングして保存することができる。
【００４３】
サンプルモーション保存部１２０が、サンプルモーションイメージとサンプルモーションの運動量とをマッピングして予め保存する方法に対して、より詳細に説明する。
【００４４】
本発明の一実施形態として、サンプルモーション保存部１２０は、ＭＥＴｓ（Ｍｅｔａｂｏｌｉｃ  Ｅｑｕｉｖａｌｅｎｔ  ｏｆ  Ｔａｓｋ）を用いてサンプルモーションイメージと運動量とをマッピングして保存することができる。このとき、ＭＥＴｓ（１  ＭＥＴｓ：３.５ｍｌ／ｋｇ／分）は、運動強度を示す単位の一つとして、安定した状態を保持するのに必要な酸素量をいう。特に、一般のモーションに対してＭＥＴｓ値は予め定義されている（例えば、時速３ｋｍの歩きは２ＭＥＴｓであり、時速９ｋｍのジョギングは８ＭＥＴｓである）。一般のユーザモーションに対するＭＥＴｓ値は以下の表１のとおりである。
【００４５】
【表１】
2013138870.tif 000005
ディスプレイ装置１００は、ユーザの命令に従って、ＭＥＴｓで定義された動作の中から、モデリングするサンプルモーションを選択する。そして、イメージ獲得部１１０を介して選択されたサンプルモーションに対するサンプルモーションイメージが獲得されると、モデリング部１２１はサンプルモーションイメージを用いてユーザのサンプルモーションをモデリングする。そして、運動量獲得部１２２は、一般のユーザモーションに対するＭＥＴｓ値を用いて選択されたサンプルモーションに対する運動量値を獲得する。そして、保存部１２３は、選択されたサンプルモーションに対するサンプルモーションイメージと獲得された運動量値とをマッピングして保存する。
【００４６】
別の実施形態として、サンプルモーション保存部１２０は、ユーザのサンプルモーションに対して直接運動量を測定し、サンプルモーションイメージと運動量とをマッピングして保存することができる。
【００４７】
具体的に、サンプルモーション保存部１２０は、ユーザのサンプルモーションイメージと運動量とをマッピングして保存するための特定コンテンツを実行する。
【００４８】
特定コンテンツが実行され、イメージ獲得部１１０を介して特定サンプルモーションに対するサンプルモーションイメージが獲得されると、モデリング部１２１は特定サンプルモーションに対するサンプルモーションイメージを用いて特定サンプルモーションをモデリングする。そして、運動量獲得部１２２は、ユーザが特定サンプルモーションをとる場合、測定されたユーザの脈拍情報を用いて特定サンプルモーションに対する運動量値を獲得する。そして、保存部１２３は、特定サンプルモーションに対するサンプルモーションイメージと獲得された運動量値とをマッピングして保存する。このとき、保存部１２３は、サンプルモーションイメージ、獲得された運動量だけでなく、サンプルモーションの運動量を測定するために実行された特定コンテンツ情報も同時に保存することができる。
【００４９】
モーション類似度算出部１３０は、イメージ獲得部１１０を介して獲得されたモーションイメージとサンプルモーション保存部１２０に予め保存されたサンプルモーションイメージの類似度を算出する。このとき、モーション類似度算出部１３０は、獲得されたモーションイメージを複数のブロックに区分し、獲得されたモーションイメージの複数のブロックに対する座標値の動きと、予め保存されたサンプルモーションイメージの複数のブロックに対する座標値の動きとを比較して、モーション類似度を算出することができる。このとき、複数のブロックは、ユーザの身体を、左足ブロックと、右足ブロックと、左手ブロックと、右手ブロックおよび胴体ブロックの５ブロックで構成されてよい。しかし、それは一例に過ぎず、ユーザの身体を５ブロック以外の複数のブロックに区分してよい。
【００５０】
特に、予め保存されたサンプルモーションイメージが複数である場合、モーション類似度算出部１３０はモーションイメージと複数のサンプルモーションイメージとの類似度をすべて算出してよい。
【００５１】
運動量算出部１４０は、モーション類似度算出部１３０から算出されたモーション類似度を用いてユーザモーションに対する運動量を算出してよい。
【００５２】
特に、ユーザモーションがＭＥＴｓで定義されたモーションである場合、運動量算出部１４０はモーション類似度を用いてユーザモーションに対する運動量を算出することができる。
【００５３】
特に、ユーザモーションがＭＥＴｓで定義されたモーションである場合、運動量算出部１４０はモーション類似度を用いてユーザモーションに対する第１運動量値を算出することができる。このとき、第１運動量値はＭＥＴｓ値であり、以下のような数式（１）によって算出されてよい。
【００５４】
【数３】
2013138870.tif 000006
ここで、Ｍｎは第ｎサンプルモーションのＭＥＴｓ値であり、Ｓｎはモーションイメージと第ｎサンプルモーションイメージとの類似度である。
【００５５】
そして、運動量算出部１４０は、第１運動量値だけでなく、運動時間と、ユーザの体重と、ユーザの性別情報および年齢情報のうち、少なくとも何れか一つを用いて、最終運動量を算出することができる。このとき、最終運動量値は、カロリーであり、以下のような数式（２）によって算出されてよい。
【００５６】
【数４】
2013138870.tif 000007
ここで、ＭＥＴｓは第１運動量値、Ｔは運動時間（ｍｉｎ）、Ｗは体重（ｋｇ）、Ａは年齢情報係数およびＷｍは性別情報係数（男性：６３、女性：５２）であってよい。
【００５７】
年齢情報係数は、以下の表２のように定義されてよい。
【００５８】
【表２】
2013138870.tif 000008
しかし、ユーザモーションがＭＥＴｓで定義されたモーションではない、特定コンテンツによって算出された運動量とマッピングされて保存されたモーションである場合、運動量算出部１４０はモーション類似度を用いて、ユーザモーションに対する最終運動量値を直ちに算出することができる。このとき、最終運動量値はカロリー単位である。
【００５９】
特に、運動量算出部１４０は、以下のような数式（３）によってユーザモーションに対する最終運動量値を算出することができる。
【００６０】
【数５】
2013138870.tif 000009
ここで、Ｃｎは第ｎサンプルモーションのカロリー値であり、Ｓｎはモーションイメージと第ｎサンプルモーションイメージとの類似度である。
【００６１】
上述のようなディスプレイ装置１００を介してユーザの身体に対する更なる装置を付着しなくてもよいため、ユーザの手間が軽減し、ユーザの動き全体を用いて運動量を測定することができるようになる。
【００６２】
以下では、図３ないし図５を参照して、運動量測定方法について詳細に説明する。
【００６３】
図３は、本発明の一実施形態に係る運動量測定方法を説明するためのフローチャートである。
【００６４】
まず、ディスプレイ装置１００は、サンプルモーションイメージと運動量とをマッピングして保存する（Ｓ３１０）。このとき、サンプルモーションイメージと運動量とをマッピングして保存する方法は、図４および図５を参照して説明する。図４は、本発明の一実施形態に係るＭＥＴｓを用いて、サンプルモーションイメージと運動量とをマッピングして保存する方法を説明するためのフローチャートである。
【００６５】
まず、ディスプレイ装置１００は、ユーザ入力に応じてＭＥＴｓで定義されたモーションの中から、学習するサンプルモーションを選択する（Ｓ４１０）。例えば、ディスプレイ装置１００は、ユーザ入力に応じてＭＥＴｓで定義されたモーションの一つであるストレッチングモーションをサンプルモーションとして選択してよい。
【００６６】
そして、ディスプレイ装置１００は、選択されたサンプルモーションに対応するサンプルモーションイメージを獲得する（Ｓ４２０）。このとき、ディスプレイ装置１００は、３Ｄカメラを用いてサンプルモーションイメージを獲得することができる。
【００６７】
そして、ディスプレイ装置１００は、サンプルモーションイメージを用いてサンプルモーションをモデリングする（Ｓ４３０）。具体的に、ディスプレイ装置１００はユーザ身体の複数の地点（例えば、１４地点）の（ｘ、ｙ、ｚ）座標に対する予め設定された時間の間（例えば、１秒間）の変化を測定して、ユーザのサンプルモーションをモデリングすることができる。
【００６８】
そして、ディスプレイ装置１００は、ＭＥＴｓを用いて運動量を獲得する（Ｓ４４０）。具体的に、ディスプレイ装置１００はＭＥＴｓで予め設定されたモーションと対応する運動量値を選択されたサンプルモーションの運動量値として獲得することができる。
【００６９】
そして、ディスプレイ装置１００は、サンプルモーションイメージと運動量とをマッピングして保存する（Ｓ４５０）。このとき、保存された運動量はＭＥＴｓ単位であってよい。
【００７０】
図５は、本発明の別の実施形態に係るコンテンツを用いてサンプルモーションイメージと運動量とをマッピングして保存する方法を説明するためのフローチャートである。
【００７１】
まず、ディスプレイ装置１００は、ユーザ命令に従ってコンテンツを実行する（Ｓ５１０）。このとき、コンテンツは、ユーザの特定サンプルに対するサンプルモーションイメージと特定サンプルに対する運動量とをマッピングして保存することができる運動コンテンツである。
【００７２】
そして、ディスプレイ装置１００は、選択されたサンプルモーションに対応するサンプルモーションイメージを獲得する（Ｓ５２０）。特に、ディスプレイ装置１００は、３Ｄカメラを用いてサンプルモーションイメージを獲得することができる。
【００７３】
そして、ディスプレイ装置１００は、獲得されたサンプルモーションが予め保存されているか否かを判断する（Ｓ５３０）。具体的に、ディスプレイ装置１００は獲得されたサンプルモーションイメージと同様か、非常に類似しているサンプルモーションイメージが予め保存されているか否かを判断し、獲得したサンプルモーションが予め保存されているか否かを判断してよい。
【００７４】
獲得されたサンプルモーションイメージが予め保存されたイメージである場合（Ｓ５３０−Ｙ）、ディスプレイ装置１００はサンプルモーションイメージを再び獲得する（Ｓ５２０）。
【００７５】
獲得されたサンプルモーションイメージが予め保存されたイメージではない場合（Ｓ５３０−Ｎ）、ディスプレイ装置１００はサンプルモーションイメージを用いてサンプルモーションをモデリングする（Ｓ５４０）。具体的に、ディスプレイ装置１００は、ユーザ身体の複数の地点（例えば、１４地点）の（ｘ、ｙ、ｚ）座標に対する予め設定された時間の間（例えば、１秒間）の変化を測定して、ユーザのサンプルモーションをモデリングする。
【００７６】
そして、ディスプレイ装置１００は、ユーザの脈拍情報を用いて運動量を獲得する（Ｓ５５０）。具体的に、ディスプレイ装置１００は脈拍測定装置を用いてユーザの脈拍情報を算出し、算出された脈拍情報を用いて特定サンプルモーションの運動量値として獲得してよい。
【００７７】
そして、ディスプレイ装置１００は、サンプルモーションイメージと運動量とをマッピングして保存する（Ｓ５６０）。このとき、ディスプレイ装置１００は、サンプルモーションイメージと運動量だけでなく、コンテンツ情報を同時に保存してよい。ここで、保存された運動量はカロリー単位であってよい。
【００７８】
ディスプレイ装置１００は、図４および図５において説明したように、サンプルモーションイメージと運動量とをマッピングして保存してよい。
【００７９】
もう一度図３について説明すると、ディスプレイ装置１００はモーションイメージを獲得する（Ｓ３２０）。このとき、ディスプレイ装置１００は３Ｄカメラを用いてモーションイメージを獲得することができる。
【００８０】
そして、ディスプレイ装置１００は、モーションイメージとサンプルモーションイメージとのモーション類似度を算出する（Ｓ３３０）。具体的に、ディスプレイ装置１００は、獲得されたモーションイメージを複数のブロックに区分し、獲得されたモーションイメージの複数のブロックに対する座標値の動きと、予め保存されたサンプルモーションイメージの複数のブロックに対する座標値の動きとを比較して、モーション類似度を算出することができる。このとき、複数のブロックは、ユーザの身体を、左足ブロックと、右足ブロックと、左手ブロックと、右手ブロックおよび胴体ブロックといった５ブロックで構成されてよい。しかし、それは一例に過ぎず、ユーザの身体を５ブロック以外の複数のブロックに区分してよい。
【００８１】
特に、予め保存されたサンプルモーションイメージが複数である場合、ディスプレイ装置１００は、モーションイメージと複数のサンプルモーションイメージとの類似度をすべて算出することができる。
【００８２】
そして、ディスプレイ装置１００は、算出されたモーション類似度を用いて運動量を算出する（Ｓ３４０）。このとき、モーションイメージに対応するモーションがＭＥＴｓに定義されたモーションである場合、ディスプレイ装置１００はサンプルモーションイメージとのモーション類似度を用いて、ＭＥＴｓ単位の第１運動量を算出する。そして、ディスプレイ１００は第１運動量だけでなく、運動時間と、ユーザの体重と、ユーザの性別情報および年齢情報のうち、少なくとも何れか一つを用いて、カロリー単位の最終運動量を算出してよい。しかし、モーションイメージに対応するモーションがコンテンツによって定義されたモーションである場合、ディスプレイ装置１００はサンプルモーションイメージとのモーション類似度を用いて、直ちにカロリー単位の最終運動量を算出することができる。
【００８３】
上述のような運動量測定方法により、ユーザの身体に対する更なる装置を付着しなくてもよいため、ユーザの手間が軽減し、ユーザの動き全体を用いて運動量を測定することができるようになる。
【００８４】
以下では、図６ないし図１６を参照して、本発明の運動量測定方法が適用された健康管理サービスを提供する多様な実施形態について説明する。
【００８５】
図６は、本発明の一実施形態に係る健康管理システム１０は、複数のディスプレイ装置６００−１、６００−２および健康管理サーバ７００を含む。一方、図６においては、ディスプレイ装置が、テレビ６００−１、携帯電話６００−２であるとして説明したが、それは一実施形態に過ぎず、パソコンやノートパソコン、タブレットパソコン、ＰＤＡ等で実現されてよい。
【００８６】
ディスプレイ装置６００は、ユーザ認証を行う。このとき、ユーザ認証は、ＩＤ／パスワード、顔認識、虹彩認識および指紋認識のうち、少なくとも何れか一つを用いてよい。ユーザ認証を通じて、ユーザは複数のディスプレイ装置６００−１、６００−２を用いて時間および場所によらず、本発明の一実施形態に係る健康管理システムの提供を受けることができる。
【００８７】
そして、ディスプレイ装置６００は、ユーザ身体情報およびユーザ運動目標情報を獲得する。このとき、ユーザ身体情報は、ユーザの身長および体重が含まれてよく、ディスプレイ装置６００はデジタル体重計およびデプスカメラを用いてユーザの身体情報を獲得することができる。このとき、ユーザ身体情報にユーザの身長および体重が含まれることは一実施形態に過ぎず、ユーザの脈拍や、血圧、体温および脳波といったような身体情報が更に含まれてよい。
【００８８】
なお、ディスプレイ装置６００は、ユーザの設定により、ユーザ運動目標情報を獲得する。このとき、運動目標情報は、ユーザの目標体重（または、目標減量体重）、カロリー消費量、運動期間およびユーザが利用する運動コンテンツのうち、少なくとも何れか一つを含んでよい。
【００８９】
このとき、ユーザは一つのディスプレイ装置６００のみで、ユーザ身体情報および運動目標情報を獲得することができるが、それは一実施形態に過ぎず、複数のディスプレイ装置６００−１、６００−２を介してユーザ身体情報および運動目標情報を獲得することができる。
【００９０】
そして、ディスプレイ装置６００は、獲得されたユーザ身体情報および運動目標情報を健康管理サーバ７００に伝送する。
【００９１】
健康管理サーバ７００は、ディスプレイ装置６００から伝送されたユーザ身体情報および運動目標情報を受信して保存する。
【００９２】
そして、ディスプレイ装置６００は、図１ないし図５において説明したような方法で運動量情報を測定する。特に、ディスプレイ装置６００は、ユーザの運動量情報を測定することができるコンテンツ、プログラム、アプリケーションを用いて運動量情報を測定することができる。なお、ディスプレイ装置６００は、デプスカメラ、アームバンド、脈拍計、血圧計等を用いて運動量情報を測定することができる。このとき、運動量情報は、ユーザが利用する運動コンテンツ情報、ユーザの運動時間情報および消費カロリー情報のうち、少なくとも何れか一つを含んでよい。
【００９３】
ディスプレイ装置６００は、測定された運動量情報を健康管理サーバ７００に伝送してよい。
【００９４】
健康管理サーバ７００は、複数のディスプレイ装置６００を介して受信された運動量情報を保存する。
【００９５】
健康管理サーバ７００は、受信されたユーザ身体情報、運動目標情報および運動量情報を用いて健康管理ＵＩを生成するための健康管理データを生成する。
【００９６】
そして、ディスプレイ装置６００から健康管理データの伝送要求が受信されると、健康管理サーバ７００は健康管理データをディスプレイ装置６００に伝送する。健康管理データには、ユーザの変化した身体情報、ユーザが目標を達成できたか否か、おすすめ運動コンテンツ等が含まれてよい、
そして、ディスプレイ装置６００は、受信した健康管理データを用いて健康管理ＵＩを生成してディスプレイする。ここで、健康管理ＵＩは、少なくとも一つの運動コンテンツを用いて測定された運動量情報を日付別に、または、コンテンツ別にグラフを用いて表示してよい。なお、健康管理ＵＩは、ユーザの変化した身体情報およびユーザの運動目標達成可否を表示することができる。
【００９７】
上述のような健康管理システム１０によって、ユーザは自分の健康状態の変化を直観的に確認することができ、複数の運動コンテンツを用いて統合的に健康管理をすることができるようになる。
【００９８】
以下では、図７および図１３を参照して、本発明の一実施形態に係るディスプレイ装置６００および健康管理サーバ７００について説明する。
【００９９】
図７は、本発明の一実施形態に係るディスプレイ装置６００の構成を示すブロック図である。図７に示すように、ディスプレイ装置６００は、ユーザ認証部６１０と、情報獲得部６２０と、運動量測定部６３０と、通信部６４０と、ＵＩ生成部６５０と、表示部６６０および制御部６７０を含む。
【０１００】
ユーザ認証部６１０は、健康管理サービスを受けるユーザを認証する。このとき、ユーザ認証部６１０は、ＩＤ／パスワードを用いてユーザを認証することができるが、それは一実施形態に過ぎず、顔認識、虹彩認識および指紋認識等を用いてユーザを認識してよい。
【０１０１】
情報獲得部６２０は、ユーザの身体情報および運動目標情報を獲得する。具体的に、情報獲得部６２０は、デジタル体重計およびデプスカメラのようなサブ装置を用いて、ユーザの身体情報を獲得することができる。特に、情報獲得部６２０は、デジタル体重計を用いてユーザの体重情報を獲得し、デプスカメラを用いてユーザの身長情報を獲得することができる。しかし、それは一実施形態に過ぎず、情報獲得部６２０は、多様なユーザの身体情報を獲得することができる。例えば、情報獲得部６２０は、血圧計を利用してユーザの血圧情報を獲得することができ、脈拍計を利用してユーザの脈拍情報を獲得することができる。
【０１０２】
なお、情報獲得部６２０は、ユーザの設定を通じてユーザの運動目標情報を獲得することができる。このとき、ユーザの運動目標情報には、ユーザの目標体重（または、目標減量体重）、カロリー消費量、運動期間およびユーザが利用する運動コンテンツのうち、少なくとも何れか一つを含んでよい。
【０１０３】
例えば、情報獲得部６２０は、図８Ａないし図８Ｂに示すように、運動目標入力ＵＩを用いてユーザの目標減量体重を入力することができる。図８Ａに示すように、目標減量体重が１ｋｇである場合、運動目標入力ＵＩ８００は目標減量体重および目標減量体重に対応するカロリー消費量を複数のメニュー８１０、８２０を通じて表示することができる。このとき、目標減量体重が表示されたメニュー８１０が選択されると、図８Ｂに示すように、ユーザは自分が減量しようとする目標減量体重を変更することができる。そして、ユーザが３ｋｇを減量しようとする場合、ユーザは、図８Ｂに示すように、メニュー８１０を通じて３ｋｇを選択することができる。そして、３ｋｇが選択されると、運動目標入力ＵＩ８１０には、複数のメニュー８１０、８２０に変更された目標減量体重およびカロリー消費量をディスプレイすることができる。
【０１０４】
なお、情報獲得部６１０は、図９に示すようなミッションリスト９００を用いて運動目標を設定することができるようになる。このとき、ミッションリスト９００とは、ユーザが消費しようとするカロリー量に対応するミッション（Ｍｉｓｓｉｏｎ）と同時にディスプレイすることにより、ユーザにカロリー消費量をガイドするリストである。例えば、ミッションリスト９００には、図９に示すように、エンパイア・ステート・ビルディング登りが４５７ｋｃａｌの消費カロリーが必要であることをガイドすることができる。このようなミッションリストを通じて、ユーザは簡単かつ興味深く自分のカロリー消費量を確認することができる。
【０１０５】
なお、情報獲得部６１０は、ユーザの日付別運動目標量およびユーザが利用する運動コンテンツを設定することができる。例えば、情報獲得部６１０は、図１０Ａに示すようなカレンダーＵＩ１０１０を用いて、日付別運動目標量を設定することができ、図１０Ｂに示すような運動コンテンツ設定ＵＩ１０２０を用いて、ユーザが利用する運動プログラム、アプリケーション、コンテンツ等を設定することができる。
【０１０６】
運動量測定部６３０は、ユーザの運動量情報を測定する。このとき、ユーザが利用した運動コンテンツ情報、ユーザの運動時間情報、および消費カロリー情報のうち、少なくとも何れか一つを含む。特に、運動量測定部６３０は、図１ないし図５で説明したような運動量測定方法によってユーザのモーションに対する運動量情報を測定することができる。即ち、運動量測定部６３０は、図２に示すような構成であるイメージ獲得部１１０と、モデリング部１２１と、運動量獲得部１２２および保存部１２３を含むサンプルモーション保存部１２０と、モーション類似度算出部１３０および運動量測定部１４０を含んでよい。
【０１０７】
通信部６４０は、外部の健康管理サーバ７００と通信を行う。このとき、通信部６４０は、Ｗｉ−Ｆｉモジュールと、イーサネット（登録商標）（Ｅｔｈｅｒｎｅｔ（登録商標））等を用いてよいが、それに限られない。
【０１０８】
特に、通信部６４０は、情報獲得部６２０および運動量測定部６３０から出力されたユーザの身体情報、ユーザの運動目標情報およびユーザの運動量情報を健康管理サーバ７００に伝送することができる。なお、通信部６４０は、健康管理サーバ７００から健康管理データを受信することができる。ここで、健康管理データは、ユーザの変化した身体情報、ユーザが目標を達成できたか否か、おすすめ運動コンテンツ等が含まれてよい。しかし、上述の健康管理データは一実施形態に過ぎず、加工されたデータではないユーザの身体情報、ユーザの運動目標情報およびユーザの運動量情報が含まれたデータであってよい。
【０１０９】
ＵＩ生成部６５０は、健康管理サービスを提供するための多様なＵＩ（Ｕｓｅｒ  Ｉｎｔｅｒｆａｃｅ）を生成する。特に、ＵＩ生成部６５０は、上述の図８Ａないし図１０Ｂに示すように、運動目標を入力するための多様なＵＩを生成することができる。
【０１１０】
なお、ＵＩ生成部６５０は、通信部６４０を介して受信された健康管理データを用いて健康管理ＵＩを生成することができる。健康管理ＵＩは、少なくとも一つのコンテンツを用いて測定された運動量情報を日付別に、または、コンテンツ別にグラフを用いて表示してよく、ユーザの変化した身体情報およびユーザの運動目標達成可否を表示することができる。
【０１１１】
例えば、健康管理ＵＩ１１００は、図１１に示すように、ユーザの身体変化情報を日付別にグラフを通じて表示してよい。なお、健康管理ＵＩ１２００は、図１２に示すように、ユーザが消費したカロリー量を日付別に表示することができ、ユーザが利用したコンテンツおよび当該コンテンツを利用しつつ、消費したカロリー量を表示することができる。
【０１１２】
表示部６６０は、制御部６７０の制御によって信号処理された映像データをディスプレイする。なお、表示部６６０は、ＵＩ生成部６５０から生成された多様なＵＩをディスプレイすることができる。
【０１１３】
制御部６７０は、入力されたユーザ命令に従って、ディスプレイ装置６００の動作全般を制御する。なお、制御部６７０は、上述のようなユーザ認証部６１０と、情報獲得部６２０と、運動量情報測定部６３０と、通信部６４０と、ＵＩ生成部６５０および表示部６６０を制御する。
【０１１４】
その他に、ディスプレイ装置６００は、ユーザの運動コンテンツおよび各々の運動コンテンツによる身体変化等を分析して、ユーザにおすすめの運動コンテンツを提供するコンテンツ推薦部（図示せず）を更に含んでよい。
【０１１５】
上述のような本発明の一実施形態に係るディスプレイ装置６００を介して、ユーザは自分の健康状態の変化を直観的に確認することができ、複数の運動コンテンツを用いて統合的に健康管理をすることができるようになる。
【０１１６】
図１３は、本発明の一実施形態に係る健康管理サーバ７００の構成を示すブロック図である。図１３に示すように、健康管理サーバ７００は、通信部７１０と、保存部７２０と、データ生成部７３０および制御部７４０を含む。
【０１１７】
通信部７１０は、複数のディスプレイ装置６００−１、６００−２、…と通信を行う。特に、通信部７１０の複数のディスプレイ装置６００−１、６００−２、…からユーザの身体情報、ユーザの運動目標情報およびユーザの運動量情報を受信してよい。なお、通信部７１０は、データ生成部６３０から生成された健康管理データをディスプレイ装置６００に伝送してよい。
【０１１８】
保存部７２０は、複数のディスプレイ装置６００−１、６００−２、…から受信されたユーザの身体情報、ユーザの運動目標情報およびユーザの運動量情報を保存する。このとき、保存部７２０は、複数の上述の情報をユーザ別に保存してよい。
【０１１９】
データ生成部７３０は、保存部７２０に保存されたユーザの身体情報、ユーザの運動目標情報およびユーザの運動量情報を用いて健康管理データを生成することができる。このとき、健康管理データは、ユーザの変化した身体情報、ユーザが目標を達成できたか否か、おすすめ運動コンテンツ等が含まれてよい。しかし、上述の健康管理データは、一実施形態に過ぎず、加工されたデータではないユーザの身体情報、ユーザの運動目標情報およびユーザの運動量情報が含まれたデータであってよい。
【０１２０】
制御部７４０は、健康管理サービス提供者の制御に従って、健康管理サーバ７００の全体的な機能および動作を制御する。特に、制御部７４０は、ユーザの健康管理のために、通信部７１０と、保存部７２０およびデータ生成部７３０を制御してよい。
【０１２１】
上述のような健康管理サーバ７００を介して、ユーザは複数のディスプレイ装置６００−１、６００−２、…を用いて時間と場所によらず、自分の健康を管理することができるようになる。
【０１２２】
以下では、図１４ないし図１６を参照して、本発明の多様な実施形態に係る健康管理方法に対して説明する。
【０１２３】
図１４は、本発明の一実施形態に係るディスプレイ装置６００の健康管理方法を説明するためのフローチャートである。
【０１２４】
まず、ディスプレイ装置６００は、ユーザを認証する（Ｓ１４１０）。このとき、ディスプレイ装置６００は、ＩＤ／パスワード、顔認識、虹彩認識および指紋認識を用いてユーザを認識することができる。
【０１２５】
そして、ディスプレイ装置６００は、ユーザの身体情報を獲得する（Ｓ１４２０）。このとき、ユーザの身体情報はユーザの身長および体重の少なくとも何れか一つを含んでよく、ディスプレイ装置６００はデプスカメラを用いてユーザの身長情報を獲得し、デジタル体重計を用いてユーザの体重情報を獲得することができる。
【０１２６】
そして、ディスプレイ装置６００は、ユーザ運動目標情報を設定する（Ｓ１４３０）。このとき、ユーザ運動目標情報は、ユーザの目標体重、カロリー消費量、運動期間およびユーザが利用する運動コンテンツのうち、少なくとも何れか一つを含んでよい。特に、ディスプレイ装置６００は、図８Ａないし図１０Ｂに示すような多様な運動目標入力ＵＩを通じて運動目標情報を入力することができる。
【０１２７】
そして、ディスプレイ装置６００は、獲得した身体情報および運動目標情報をサーバ７００に伝送する（Ｓ１４４０）。
【０１２８】
そして、ディスプレイ装置６００は、運動量情報を測定する（Ｓ１４５０）。このとき、ディスプレイ装置６００は、図１ないし図６において説明したような運動量測定方法で運動量情報を測定することができる。このとき、運動量情報には、カロリー消費量だけでなく、コンテンツ情報および運動時間情報のような付加情報が含まれてよい。
【０１２９】
そして、ディスプレイ装置６００は、算出された運動量情報をサーバ７００に伝送する（Ｓ１４６０）。
【０１３０】
そして、ディスプレイ装置６００は、ユーザから健康管理データ受信が要求されたか否かを判断する（Ｓ１４７０）。
【０１３１】
健康管理データ受信要求が入力されると（Ｓ１４７０−Ｙ）、ディスプレイ装置６００はサーバ７００から健康管理データを受信する（Ｓ１４８０）。このとき、健康管理データは、ユーザの変化した身体情報、ユーザが目標を達成できたか否か、おすすめ運動コンテンツ等が含まれてよい。しかし、上述の健康管理データは、一実施形態に過ぎず、加工されたデータではないユーザの身体情報、ユーザの運動目標情報およびユーザの運動量情報が含まれたデータであってよい。
【０１３２】
そして、ディスプレイ装置６００は、健康管理ＵＩを生成し、ディスプレイする（Ｓ１４９０）。このとき、健康管理ＵＩは、少なくとも一つのコンテンツを用いて測定された運動量情報を日付別に、または、コンテンツ別にグラフを用いて表示してよく、ユーザの変化した身体情報およびユーザの運動目標達成可否を表示することができる。例えば、健康管理ＵＩは、図１１および図１２に示すようなＵＩであってよい。
【０１３３】
上述のようなディスプレイ装置６００によると、ユーザは複数の運動コンテンツを用いて統合的に健康管理サービスを受けることができるようになる。なお、ユーザは自分の健康状態の変化を直観的に確認することができる。
【０１３４】
図１５は、本発明の一実施形態に係る健康管理サーバ７００の健康管理方法を説明するためのフローチャートである。
【０１３５】
まず、健康管理サーバ７００は、ユーザを認証する（Ｓ１５１０）。このとき、ユーザはディスプレイ装置６００から認証されたユーザとして、健康管理サービスを受けたユーザである。
【０１３６】
そして、健康管理サーバ７００は、ディスプレイ装置６００からユーザの身体情報、ユーザの運動目標情報およびユーザの運動量情報を受信して保存する（Ｓ１５２０）。このとき、ユーザの身体情報、ユーザの運動目標情報およびユーザの運動量情報は、複数のディスプレイ装置６００−１、６００−２、…から受信されてよい。
【０１３７】
そして、健康管理サーバ７００は、健康管理データを生成する（Ｓ１５３０）。このとき、健康管理データには、ユーザの変化した身体情報、ユーザが目標を達成できたか否か、おすすめ運動コンテンツ等が含まれてよいが、加工されたデータではないユーザの身体情報、ユーザの運動目標情報およびユーザの運動量情報が含まれたデータであってよい。
【０１３８】
そして、健康管理サーバ７００は、ディスプレイ装置６００から健康管理データ伝送要求を受信する（Ｓ１５４０）。
【０１３９】
健康管理データ伝送要求が受信されると、健康管理サーバ７００は健康管理データを外部のディスプレイ装置６００に伝送する（Ｓ１５５０）。
【０１４０】
上述の健康管理サーバ７００を介して、ユーザは、複数のディスプレイ装置６００−１、６００−２を用いて場所と時間によらず、自分の健康を管理することができるようになる。
【０１４１】
一方、上述の実施形態においては、健康管理データ伝送要求前に健康管理データを先に生成するものとして説明したが、それは一実施形態に過ぎず、健康管理データ伝送要求が受信されると、健康管理データを生成することができる。
【０１４２】
図１６は、本発明の一実施形態に係る健康管理システム１０の健康管理方法を説明するためのフローチャートである。
【０１４３】
まず、テレビ６００−１は、ユーザ認証を行う（Ｓ１６０１）。そして、テレビ６００−１は、ユーザ身体情報を獲得し（Ｓ１６０２）、ユーザ運動目標情報を設定する（Ｓ１６０３）。
【０１４４】
そして、テレビ６００−１は、獲得されたユーザ身体情報および運動目標情報をサーバ７００に伝送する（Ｓ１６０４）。
【０１４５】
サーバ７００は、受信されたユーザ身体情報および運動目標情報を保存する（Ｓ１６０５）。
【０１４６】
そして、テレビ６００−１は、図１ないし図５で説明したような方法で、第１運動量情報を測定し（Ｓ１６０６）、測定された第１運動量情報を外部のサーバ７００に伝送する（Ｓ１６０７）。
【０１４７】
サーバ７００は、受信された第１運動量情報を保存する（Ｓ１６０８）。そして、サーバ７００は受信されたユーザ身体情報、運動目標情報および第１運動量情報を用いて第１健康管理データを生成する（Ｓ１６０９）。
【０１４８】
そして、携帯電話６００−２は、テレビ６００−１で認証されたユーザと同じユーザを認証する（Ｓ１６１０）。
【０１４９】
そして、携帯電話６００−２は、図１ないし図５で説明したような方法で、第２運動量情報を測定し（Ｓ１６１１）、測定された第２運動量情報を外部のサーバ７００に伝送する（Ｓ１６１２）。
【０１５０】
第２運動量情報が伝送されると、サーバ７００は第２運動量情報を保存する（Ｓ１６１３）。そして、サーバ７００が受信されたユーザ身体情報、運動目標情報、第１運動量情報および第２運動量情報を用いて第２健康管理データを生成する（Ｓ１６１４）。
【０１５１】
そして、テレビ６００−１は、サーバから健康管理データを要求する（Ｓ１６１５）。
【０１５２】
健康管理データ要求信号が受信されると、サーバ７００は最新の第２健康管理データをテレビ６００−１に伝送する（Ｓ１６１６）。
【０１５３】
第２健康管理データが受信されると、テレビ６００−１は第２健康管理データを用いて健康管理ＵＩを生成し（Ｓ１６１７）、生成された健康管理ＵＩをディスプレイする（Ｓ１６１８）。
【０１５４】
上述のような健康管理システム１０および運動量測定方法を用いて、ユーザは自分の健康状態の変化を直観的に確認することができ、複数のディスプレイ装置６００−１、６００−２を用いて統合的に健康管理をすることができる。
【０１５５】
なお、上述のような多様な実施形態に係る運動量測定方法および健康管理方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【０１５６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１５７】
１１０  イメージ獲得部
１２１  モデリング部
１２２  運動量獲得部
１２３  保存部
１３０  モーション類似度算出部
１４０  運動量算出部
６００−１  テレビ
６００−２  携帯電話
６１０  ユーザ認証部
６２０  情報獲得部
６３０  運動量測定部
６４０  通信部
６５０  ＵＩ生成部
６６０  表示部
６７０  制御部
７１０  通信部
７２０  保存部
７３０  データ生成部
７４０  制御部
【図１】
2013138870.tif 000011
【図２】
2013138870.tif 000012
【図３】
2013138870.tif 000013
【図４】
2013138870.tif 000014
【図５】
2013138870.tif 000015
【図６】
2013138870.tif 000016
【図７】
2013138870.tif 000017
【図８Ａ】
2013138870.tif 000018
【図８Ｂ】
2013138870.tif 000019
【図８Ｃ】
2013138870.tif 000020
【図９】
2013138870.tif 000021
【図１０Ａ】
2013138870.tif 000022
【図１０Ｂ】
2013138870.tif 000023
【図１１】
2013138870.tif 000024
【図１２】
2013138870.tif 000025
【図１３】
2013138870.tif 000026
【図１４】
2013138870.tif 000027
【図１５】
2013138870.tif 000028
【図１６】
2013138870.tif 000029